(57)【特許請求の範囲】
【請求項１】
紙箱本体の天面部に加工された切取蓋を前記天面部から切り取ることにより、前記天面部に内容物を取り出すための取出口が形成される紙箱において、
前記切取蓋の中央部分に、前記切取蓋を同一形状の半片に二分する切離線が形成され、
前記切離線によって分割される各半片の、前記切離線に沿う部分が、相手方の半片と相補的に係合するフック部となされ、
前記各半片の、前記フック部とは反対側の端部が、前記紙箱本体の相対する側面部に設けられた貼合箇所の隙間にそれぞれ挿し込み可能となされ、
前記各半片の前記フック部が前記各側面部から同じ向きに突出するように、前記各半片が前記各側面部に取着されることにより、前記フック部を介して前記紙箱本体を適宜の横架材等に掛止することができるように構成されたことを特徴とする紙箱。
【請求項２】
請求項１に記載された紙箱において、
前記切取蓋の各半片における前記フック部とは反対側の端部近傍に、指掛け部が、前記フック部側を切り起こし得るように形成され、前記端部が紙箱本体の側面部に設けられた貼合箇所の隙間に挿し込まれると、前記貼合箇所に折り込まれた紙箱本体の内側舌片に前記指掛け部が掛止して、前記半片が前記側面部に抜け出し不能に取着されるように構成されたことを特徴とする紙箱。
【請求項３】
請求項１または２に記載された紙箱において、
前記切取蓋の半片には、前記フック部の延長先に相対する部分を略三角形状に折曲するための折罫線が賦形されたことを特徴とする紙箱。
【発明の詳細な説明】
【技術分野】
【０００１】
本発明は、ティッシュペーパー、清拭用クロス、マスク、使い捨て手袋その他の薄くて軽い素材からなる物品が多数枚、折り重ねて収容され、取出口から一枚ずつ連続的に取り出せるように形成された紙箱に関する。
【背景技術】
【０００２】
ティッシュペーパーボックスをはじめとする前記のような紙箱類は、略直方体状をなす外形の最も広い面に内容物の取出口が設けられ、その取出口が設けられた面（以下、説明の便宜上、この面を「天面部」、その反対側の面を「底面部」と定める。）を上に向けて、テーブルや棚等の平坦面に置かれた状態で使用されることが多い。しかし、例えばキッチンや作業場など、紙箱を載置するためのスペースにあまり余裕がない場面では、適宜の固定手段を用いて、壁面、冷蔵庫、スチール家具等に紙箱を取り付けて使用されることがある。
【０００３】
かかる固定手段の例として、特許文献１には、ティッシュペーパーその他の薄葉紙を収納する紙箱の底面部に、適宜間隔で複数個所の押込み部を形成し、その押込み部に矩形板状の固定具の両端を挿入して装着し、その固定具を磁石、粘着テープ、吸盤、フック等を介して壁面やスチール家具等に取り付ける構成が開示されている。
【０００４】
特許文献２には、マスク容器として使用される直方体状の紙箱の、底面部と側面部とが接続する稜線を基辺として、底面部の一部を略台形状に切り起こし、その切り起し片を側面部の外方に折り返した状態で壁面等にピン等で止め付けることにより、マスク容器の底面部を壁面等に沿わせて固定する構成が開示されている。
【０００５】
特許文献３には、ティッシュペーパー用の紙箱の天面部または長手側面部を構成する基材（板紙）を延長し、その延長片をベッドの主骨パイプ等に巻き回し、さらに延長片の先端に形成した係止用突片を紙箱本体のいずれかの面に形成した切り込み溝に嵌挿係止することにより、紙箱をベッドの主骨パイプ等に取り付ける構成が開示されている。
【０００６】
特許文献４には、ティッシュペーパー用の紙箱の底面部または長手側面部を構成する基材を延長し、その延長片を折り返して二重にした状態で、該延長片に形成した２か所の長孔に自動車の前席シートのヘッドレストの支軸を挿入することにより、前席シートの背部に、取出口を後席側に向けて紙箱を取り付ける構成が開示されている。
【０００７】
また、特許文献５〜７には、この種の紙箱の底面部に装着する固定具等の構成が提案されている。
【先行技術文献】
【特許文献】
【０００８】
【特許文献１】特開２０１５−２０７８９号公報
【特許文献２】実用新案登録第３０７３００９号公報
【特許文献３】実公平２−９７５７号公報
【特許文献４】特開２０１４−１５９２９６号公報
【特許文献５】特開２０００−１９７５８１号公報
【特許文献６】特開２００２−３６９７６７号公報
【特許文献７】特開２００３−２００８０号公報
【発明の概要】
【発明が解決しようとする課題】
【０００９】
特許文献１に記載された固定手段は、例えば特許文献５〜７に開示されたような、紙箱とは別体の固定具を必要とする。
【００１０】
特許文献２に記載された固定手段も、ピン、画鋲、フック等の固定具を必要とする。また、底面部の一部を切り起こして折り返した状態で使用するため、底面部の一部が常に開口したままになってしまい、内容物の衛生状態を保持する上で、あまり好ましくない。
【００１１】
特許文献３および４に記載された固定手段では、紙箱の組み立てに要する基材の面積が、延長片の分だけ余分に必要になるので、材料コストや組み立てコストが嵩んでしまう。
【００１２】
そこで、本発明は、紙箱本体とは別体の固定具等を特に必要とせず、また、紙箱の組み立てに要する基材の面積も増大させずに、紙箱を平坦面以外の場所に取り付けることのできる固定手段を備えた紙箱を提供するものである。
【課題を解決するための手段】
【００１３】
前述の目的を達成するため、本発明の紙箱は、紙箱本体の天面部に加工された切取蓋を前記天面部から切り取ることにより、前記天面部に内容物を取り出すための取出口が形成される紙箱において、前記切取蓋の中央部分に、前記切取蓋を同一形状の半片に二分する切離線が形成され、前記切離線によって分割される各半片の、前記切離線に沿う部分が、相手方の半片と相補的に係合するフック部となされ、前記各半片の、前記フック部とは反対側の端部が、前記紙箱本体の相対する側面部に設けられた貼合箇所の隙間にそれぞれ挿し込み可能となされ、前記各半片の前記フック部が前記各側面部から同じ向きに突出するように、前記各半片が前記各側面部に取着されることにより、前記フック部を介して前記紙箱本体を適宜の横架材等に掛止することができる、という構成を採用する。
【００１４】
さらに、本発明の紙箱は、前述の構成に加えて、前記切取蓋の各半片における前記フック部とは反対側の端部近傍に、指掛け部が、前記フック部側を切り起こし得るように形成され、前記端部が紙箱本体の側面部に設けられた貼合箇所の隙間に挿し込まれると、前記貼合箇所に折り込まれた紙箱本体の内側舌片に前記指掛け部が掛止して、前記半片が前記側面部に抜け出し不能に取着される、という構成を採用する。
【００１５】
さらに、本発明の紙箱は、前述の構成に加えて、前記切取蓋の半片には、前記フック部の延長先に相対する部分を略三角形状に折曲するための折罫線が賦形された、との構成を採用する。
【発明の効果】
【００１６】
本発明の紙箱は、使用開始時に天面部から切り取られる取出口の切取蓋を、二枚の半片に分割して紙箱本体の両側面に取着することにより、それら半片の切離線に沿って形成されるフック部を介して、適宜の横架材等に掛止することができる。したがって、紙箱本体とは別体の固定具等を併用する必要はなく、また、紙箱を組み立てるために必要な基材の面積および形状も従来一般の紙箱と同じで済む。使用に際しては、切取蓋を二つの半片に分離して側面部に取着するだけで、きわめて手軽に、紙箱を平坦面以外の場所に掛止することが可能になる。
【図面の簡単な説明】
【００１７】
【図１】本発明の実施の形態にかかる紙箱の全体斜視図である。
【図２】前記紙箱の天面部から切り取られる切取蓋の平面形状と、これを切離線で二枚の半片に分割した状態を示す説明図である。
【図３】前記切取蓋の各半片を、紙箱本体の両側面部に設けられた貼合箇所の隙間にそれぞれ挿し込む状態を示す斜視図である。
【図４】紙箱本体の両側面部に取着した切取蓋の半片のフック部を、棒状の横架材に掛止した状態を示す斜視図である。
【図５】紙箱本体の両側面部に設けられた貼合箇所と切取蓋の半片との取着状態を拡大して示す側面図である。
【図６】紙箱本体の両側面部に設けられた貼合箇所と切取蓋の半片との、他の取着状態を拡大して示す側面図である。
【図７】紙箱本体の両側面部に設けられた貼合箇所と切取蓋の半片との、さらに他の取着状態を拡大して示す側面図である。
【発明を実施するための形態】
【００１８】
以下、本発明の実施の形態について図を参照して説明する。
【００１９】
図１は、本発明の実施の形態に係る紙箱を示す。例示の紙箱１は、ティッシュペーパーボックスとして利用されるものである。紙箱１は、例えばコートボール紙等の厚板紙を所定形状に切り抜き、それを直方体状に組み立てて形成される。組み立て状態における、長辺の長さ：短辺の長さ：高さの比は、およそ４：２：１である。
【００２０】
紙箱１の基本的な組み立て構造は、従来一般に市販されているティッシュペーパーボックスと同様である。すなわち、最も広い面を構成する天面部２と、これに平行に相対する底面部３（図５、６）とが、一方（図１における手前側）の長手側面部４を介して連続するとともに、天面部２の他方（図１における背面側）の長辺から延出する長手側面形成片（図示せず）が、底面部３の他方の長辺から延出する糊代片（図示せず）に貼合されて、反対側の長手側面部４（図５、６）となり、これらによって略角筒状の中間体が形成される。さらに、長手側面部４の両短辺からそれぞれ延出する内側舌片５１の外側に、天面部２および底面部３の両短辺からそれぞれ延出する短手側面形成片５２、５３が折り重ねられ、短手側面形成片５２、５３同士が貼合されることにより、短手側面部５が形成される。
【００２１】
天面部２の中央には、ミシン目加工等による切離線２１で囲まれた細長い切取蓋６が設けられており、この切取蓋６を切り取ると、内容物のティッシュペーパー７を連続的に取り出すための取出口２２が開口する。本発明の最大の要部は、この切取蓋６にあり、その構成を図２に拡大して示す。
【００２２】
切取蓋６は、従来一般のティッシュペーパーボックスに設けられているものとほぼ同様に、長手方向における両端部が中間部に比べて若干、細くなった形状を有している。例示形態では、長手方向における中間部略１／３の範囲が等幅で、両端部に向けて円弧状の輪郭をなすように縮幅し、両端部の幅が中間部の幅の半分程度になっている。切取蓋６の全体的な寸法は、従来一般のものと同程度ないし、それよりも若干大きめになるのが実用的であるが、それでも切取蓋６の中間部の幅が紙箱１の高さ以上になることはない。
【００２３】
切取蓋６の中央部分には、切取蓋６を同一形状の半片６０、６０に二分する１本の切離線６１が、ミシン目加工等によって形成されている。切離線６１は、切取蓋６の図形中心点を切取蓋６の長手方向に経由してＳ字状に延び、さらに屈曲して反対側の側縁に達している。この切離線６１によって分割される各半片６０の、切離線６１に沿う部分は、相手方の半片６０と相補的に係合する略J形のフック部６２となる。図２において、フック部６２の先端部の幅ａと、フック部６２の首部の幅ｂとは、略同寸になる。また、フック部６２の全体的な高さｃは各半片６０の長さの半分未満で、フック部６２の掛り深さｄはフック部６２の首部の幅ｂの２倍前後となっている。
【００２４】
さらに、フック部６２の延長先に相対する（フック部６２の先端部を受け止める）顎形部分６３は、その切離縁６４が切取蓋６の側縁に対してやや鋭角的になるように形成されている。そして、フック部６２の延長先付近から、この切離縁６４と略直交する方向に折罫線６５が賦形され、この折罫線６５を利用して、フック部６２の延長先に相対する顎形部分６３を略三角形状に折曲することができるようになっている。
【００２５】
また、切取蓋６の両端部近傍には、切取蓋６を紙箱１から切り取りやすくするための指掛け部６６がそれぞれ設けられている。この指掛け部６６は、従来一般のティッシュペーパーボックスと同様に、例えば略Ｃ形の打抜線６７と、その両端を接続する折罫線６８とによって構成される。ただし、本発明では、従来一般のティッシュペーパーボックスとは反対に、指掛け部６６が切取蓋６の中心側、つまり各半片６０におけるフック部６２側を切り起こし得るように形成されている。
【００２６】
この紙箱１を使用する際には、従来一般のティッシュペーパーボックスと同様に、まず、紙箱１の天面部２から切取蓋６を切り取って、取出口２２を開封する。そして、図２に示したように、切り取った切取蓋６を切離線６１で二つの半片６０、６０に分割する。
【００２７】
続いて、図３に示すように、各半片６０のフック部６２とは反対側の端部を、紙箱本体１０の両短手側面部５に設けられた貼合箇所の隙間（互いに貼合された上下の短手側面形成片５２、５３と内側舌片５１との間の未貼合箇所）にそれぞれ挿し込む。この紙箱１の短手側面部５において、上下の短手側面形成片５２、５３同士は互いに貼合されているが、これら上下の短手側面形成片５２、５３と内側舌片５１とは貼合されておらず、従って、それらの間に半片６０を挿し込むことができるようになっている。あるいは、上下の短手側面形成片５２、５３と内側舌片５１とが、それらの間に半片６０を押し込むことで剥離する程度に弱く貼合されていてもよい。
【００２８】
半片６０を、その半分くらいまで貼合箇所の隙間に挿し込んでから少し引き戻すと、図５に示すように、半片６０に形成された指掛け部６６が内側舌片５１に掛止して、抜け出し不能に取着される。こうして、両短手側面部５に半片６０を取着した紙箱本体１０は、図４に示すように、その両短手側面部５から同じ向きに突出するフック部６２を介して、例えばパイプ棚、パイプベッドの手摺柵、衣類用のハンガーパイプ、タオル掛け、清掃用カートのハンドルバー等、棒状あるいは棚板状をなす適宜の横架材９に、取出口２２を横向きにして掛止することができる。
【００２９】
紙箱本体１０を掛止したいスペースの態様や横架材９等の位置によっては、紙箱本体１０の短手側面部５に取着する半片６０の取着形態を変えることもできる。例えば、図６に示すように、フック部６２の延長先に相対する顎形部分６３に形成された折罫線６５に沿って、顎形部分６３を略三角形状に折り重ね、その状態で、フック部６２とは反対側の端部を紙箱本体１０の短手側面部５に設けられた貼合箇所の隙間に挿し込む。すると、半片６０の折罫線６５を底面部３に沿わせるように傾斜させた姿勢で、半片６０に形成された指掛け部６６を、内側舌片５１の底面部３寄りに掛止させることができる。なお、例示の形態では、半片６０に形成される指掛け部６６も、その折罫線６８が折罫線６５と直交するように少し回転した形状で打ち抜かれている。このような取着形態を採用すれば、フック部６２が図５に示した形態よりも多少、底面部３側に寄った姿勢で保持されるので、例えば壁面に沿って取り付けられたワイヤーネット等に対してもフック部６２を掛止し易くなって、使い勝手が向上する。
【００３０】
あるいは、図７に示すように、フック部６２の延長先に相対する顎形部分６３に形成された折罫線６５に沿って、該顎形部分６３を略三角形状に折り曲げ、その状態で、フック部６２とは反対側の端部を紙箱本体１０の短手側面部５に設けられた貼合箇所の隙間に挿し込み、顎形部分６３の切離縁６４を、紙箱本体１０の底面部３と長手側面部４との接続稜線３４の裏側に掛止させることもできる。この取着形態を採用すれば、フック部６２が図６の形態よりも紙箱本体１０に近い位置に保持される。
【００３１】
以上に説明したように、この紙箱１は、通常では使用開始時に天面部２から切り取られて捨てられてしまう取出口２２の切取蓋６を、フック部６２を有する二枚の半片６０に分割し、それらを紙箱本体１０の側面部に取着することにより、適宜の横架材９等に掛止可能な固定手段となすように構成されている。この固定手段には、磁石や樹脂製部品など、紙箱本体１０とは別体の固定具等を併用する必要はない。そして、この固定手段を付加するために必要な基材の面積および形状は、従来一般の紙箱の組み立てに要するそれと全く同じで足りる。さらに、この固定手段を使用するに際して、例えばテープ、糊、鋏、カッター等の用具も特に必要としない。こうして、きわめて手軽に、紙箱１を平坦面以外の場所に取り付けることが可能になる。
【００３２】
なお、本発明の技術的範囲は、例示した実施の形態によって限定的に解釈されるべきものではなく、特許請求の範囲の記載に基づいて概念的に解釈されるべきものである。本発明の実施に際しては、例示形態と実質的に同様の作用効果が得られる範囲において、細部の形状等を多少、改変するなどしても差し支えない。例えば、切取蓋６は、その両端部が縮幅しない短冊形に形成されてもよいし、フック部６２は、より丸みを帯びた渦巻き形状や、角張った鈎形状に形成されてもよい。指掛け部６６の形状も、略Ｃ形に限らず、例えばＶ形、Ｕ形、コ字形等であってもよい。また、例示形態とは反対に、フック部６２を紙箱本体１０の天面部２側に向けて取着することもできる。さらに、紙箱１に収容される内容物の種類や形状に応じて紙箱１の全体的なプロポーションは変化してもよいし、半片６０を取着するための貼合箇所が、例示のような短手側面部５ではなく、長手側面部４に設けられていてもよい。
【符号の説明】
【００３３】
１  紙箱
１０  紙箱本体
２  天面部
２１  切離線
２２  取出口
３  底面部
３４  底面部と長手側面部との接続稜線
４  長手側面部
５  短手側面部
５１  内側舌片
６  切取蓋
６０  半片
６１  切離線
６２  フック部
６６  指掛け部
６３  顎形部分
６４  切離縁
６５  折罫線
７  ティッシュペーパー（内容物）
９  横架材
【図１】
0006397848.tif 000002
【図２】
0006397848.tif 000003
【図３】
0006397848.tif 000004
【図４】
0006397848.tif 000005
【図５】
0006397848.tif 000006
【図６】
0006397848.tif 000007
【図７】
0006397848.tif 000008